(57)【要約】【課題】  近年、親族が亡くなっても墓石、墓地の購入者が若年層を中心に減って来ている、これはひとつには高額であり、又、画一的であるため先祖への供養離れが進んでいるのだ、どうしたら手軽に場所を選ばず、又、個人の志向、慣性を満たす墓石が作れないかを課題として研究を進めた。【解決手段】  流動性を持つ黒色コンクリートを使う事で廉価で好みの形状ができ、しかも墓標そのものへ御霊を収めることができどんな場所であってもその場にて作る事が出来るつややかな黒色墓石を提供する【選択図】図１
2013204417.tif 000002
【特許請求の範囲】
【請求項１】
生コンクリート、主として黒色生コンクリートにより製作する墓石と位牌
【発明の詳細な説明】
【技術分野】
【０００１】  生コンクリートの製造過程にてセメント粉に竹炭粉を適量混入させて作り出した黒色生コンクリートで作る墓石と位牌。
【背景技術】
【０００２】  従来、墓石は石工の手により大きな石材を切断加工し、研磨、彫字にて作られる、その為墓地代運搬を含めた設置費用などで高額な費用を必要とする、又、形状も二段台座部に墓標を乗せた画一的な物になっている、位牌もまた木製漆塗りが主で無機質な物に合掌する事が主である。
【発明の開示】
【発明が解決しようとする課題】
【０００３】  金銭面もそうだが形状が画一的であり墓標その物も無機質であり遺骨は寺社の納骨堂や台座の下の地中に入れるのが慣わしになっている。【０００４】  戦前層はともかく戦後、後半期の層を中心に仏壇、墓石等、先祖の供養に対して金額をかけて敬うという風習が薄れ、又、モダニズムを求める様になってきた、それは同時に経済面のゆとりも少なく現状の生活維持や、又、小額にての個人の楽しみを求める方向に向けられるからであり、どうしたら金銭面において手軽に本人の志向に合った、又、個人そのものの有機物へ心からの供養が出来ないかを課題として研究を進めた。
【課題を解決するための手段】
【０００５】  誰でも深い情愛、絆、信頼関係で結ばれた人に逝ってしまわれる事は非常に辛く悲しい事であり、本来十分な費用をかけ、心からの供養を望む物であるが経済面、本人の供養や美意識に対しての慣性面、あるいはわが国の慣例等で思い通りに行かない面がある、これらの諸問題も黒色コンクリートで作り出される形状の自由な大変廉価で仕上がりも尊厳のある美しい黒色コンクリート製の墓石や位牌であれば誰でも手軽に作れるし、自分に合った供養が出来る、
【発明の効果】
【０００６】  経済面では使用した材料費だけで見れば平均的な墓石の容積から割り出して１立米も入らないし０．５〜０．８位で済む、現在生コン１立米は１万円程度である（大型ミキサー車搭載）従って石材墓石の数十分の１位で済む、又、木製型枠で作るので形状が自由に作り出せ墓標その物に遺骨納入空間も簡単に作れる、位牌も同様で低価格で済む、しかも現場製作が出来るので山奥や離島でも簡単に作れる。
【発明を実施するための最良の形態】
【０００７】  生コンも用途に応じ多岐多様であり、空港の路面に使用する専用ダンプ車から直接打設するカチンカチンの生コン、高炉セメントを使用した土木工事に多用するＢＢセメント、又、もちの様なＭセメント、流動性の強い高性能Ｌセメント、近年１００ニュートンを超える科学素材繊毛入りの超ベトベトの生コンなどあるが、竹炭粉が一番混じりやすく黒色化し、又、コンクリートの強度落ちの無い、あるいはより少ない生コンを作った、なぜ竹炭粉を使用したかはその成分の灰分量が多く多孔質でペーハー値が７〜８程度で弱アルカリ性である為混和剤やセメントに相性が適合するからである、使う材料は後述するとして試作品は当方の独断にて故人が宇宙へ飛び出して天空から自分らを見守って下さいという思いから墓石をスペースシャトル形にした、墓標部の木製型枠は正方形４０ｃｍ径として枠内側前面部は円形にして後部は平面にしたその際の円形加工には内側前面部に４０本位の算木の縦幅を調整して円形となる様にし、その面に温熱処理を施したＲ状の合板を取り付け円形状にし、剥離剤を塗った、中心部分は戒名を入れる為平面にし、その部分の合板に平面となる板を当てその板にコンクリート部に戒名が印字できる様木製で作った戒名字を取り付けた、逆に木製部分に彫刻で彫ればコンクリートの戒名部は凸状になる、又、１層目台座は正方形にしてワイヤーメッシュを敷いた、２層目はシャトルの発射時を見立て両側の前部と前面に関して雲の形状を施した、天部は前面を三角帽の形状にし、墓標中間部に遺品や遺骨を入れられる様空洞を持たせ背面部にふたを設けて遺品類納入後にモルタルにてふたを閉じた、これだと再納入時モルタルを削ればふたが開く施工法である。【０００８】  この様に生コンクリートで製作すると木枠の形状を変える事で色々なデザインを生み出せ自分の好みに合わす事が出来る、又、施工に際して、建築現場の生コン打設時に時折行う“打ちっぱなし”工法を取り入れた、これは建築物外周部、外壁等、打設後一切コンクリート面にタイル等化粧を施さないコンクリート地そのものを見せる為の施工法でその作業は大変手間のかかる物で生コン打設をゆっくりゆっくり行い生コン内部にはバイブレーターを丁寧にかけて気泡が出ない様に、又、型枠外部からは木槌にてまんべんなく生コン打設部を叩く事で“ジャンカ”が出ない様手間のかかる作業で、従って仕上がったコンクリート面はツヤのある芸術性さえ感じられるコンクリート作品になる、墓石作成時も同様に行ったので仕上がりは黒光りする威厳のある作品となった、又、黒色は日本人の慣性にも合っている。【０００９】  生コン使用材料は品質強度２４ニュートン、セメントの種類普通（Ｎ）、混和剤、Ｋ社マイティシリーズ、単位水量１８０ｋｇ骨材１０ｍｍ、水セメント比（Ｗ／Ｃ）５５％、竹炭粉、セメント比２：１０、生コンスランプ２１ｃｍ〜２２．５ｃｍを使用、この割合が一番黒色が鮮明で強度落ちが少ないからである、強度テスト、テストピース詰め水養生１週、４週時、１週時ではその強度はほとんど変わらず、４週時では多少の強度落ちが見られた、又、強度２４ニュートンだと冬場では呼び強度が３０ニュートンにまでなる為これは１０建て前後のマンションに使われる品質である、従って大地震が来ても上部からの負荷が無い為壊れる事も無い、又、竹炭の混入形態は、作られた直後の生コン、水、混和剤、砂、骨材等実験の結果セメント粉に混入するのが一番黒色が出やすい事もわかった。
【産業上の利用分野】
【００１０】  家屋の外囲いを黒色生コンで作れば歌ではないが粋な黒塀になり家庭用品の用途も考えられる、黒色であれば例えば皿等では下部木枠、上部木枠それぞれにアルミ箔やラップに剥離剤を塗って作れば生コン固化後すぐ取り外せ型枠も汚れず何回でも使える、陶製と違い壊れにくいので怪我をする事も無く黒色であるため芸術性もある、もともとセメントも粘土の一種であり焼き物は鉱物粉入りの釉薬が高熱により化学反応を起こし有色化するが生コンはセメント成分の石灰類と水が反応して内部発熱により固化していく為有色化が難しく、ただ材料のほとんどが灰色系の為黒色化のみが可能である。
【００１１】  セメント対竹炭粉（重量比）が５：１を超える事で生コン強度が下がり、又、それ以下にて黒色化が弱まる比率上の発見である、従って建築安全基準の面では高層建築等の躯体の使用では建築安全基準の面で種々の実験データ、書類等の申請が必要な為、副材にてのコンクリート強度上げについては研究途上である為使用は出来ないが、レベルコン（捨てコン）、土間コン、路面補修戸建の基礎コンや工作物での使用においては問題無い、又、今般の福島事故での汚染砂利材等の除染効果にもなり全体レベルでのわずかではあるが除染活動の一助になる黒色コンクリートだと思う。
【図面の簡単な説明】
【００１２】
【図１】墓石の側面からの断面図
【図２】位牌の上部戒名板
【図３】位牌の遺品納入空間を持たせた台座部
【符号の説明】
【００１３】１．墓標  ２．墓石の台座部  ３．墓石の納入空間  ４．墓石の背面ふた部５．位牌の上部戒名板  ６．位牌の台座部  ７．位牌の遺品納入空間８．ワイヤーメッシュ
【図１】
2013204417.tif 000003
【図２】
2013204417.tif 000004
【図３】
2013204417.tif 000005